(57)【要約】【課題】吸音特性を有する壁面装飾壁布構造を提供する。【解決手段】挟持溝１２が設けられる固定用フレームで構成される枠組み１０と、壁面２１に貼設される吸音層２０と、両側の幅が左右の固定用フレームの距離幅より大きく、且つ両側が挟持溝１２内に挟入されて挟まれることにより定位され、引張平面が形成されて吸音層２０の前方に固定され、且つ吸音層２０との間に０．３ｃｍ-３ｃｍの遮音隙間を有するインク吸収特性、防火特性、及び防水特性を有する織物構造壁布６０とを備える。これにより、本考案は壁面装飾または広告看板とする場合、吸音機能以外に防火性、防水性、及びインク吸収性を更に有し、洗浄可能であり、容易に除去でき、アレルギー性もなく、無毒性である等の特性を有し、且つ好みの図柄をスプレーインクで描画できる。【選択図】図５
0003217066.tif 000002
【実用新案登録請求の範囲】
【請求項１】
少なくとも左右の固定用フレームで構成され、前記左右の固定用フレームは所定の距離幅で対向し合って対称に壁面に固定され、前記左右の固定用フレームは前記壁面に貼着させるための位置決め面及び前記位置決め面の外側に成形される挟持溝を有し、且つ前記挟持溝の前端面及び前記位置決め面により収容空間の距離が形成される枠組みと、
前記壁面に貼設され、且つ厚さが前記収容空間の距離より短い吸音層と、
両側の幅が前記左右の固定用フレームの距離幅より大きく、且つ両側は前記挟持溝内に挟入されて挟まれることにより定位され、引張平面が形成されて前記吸音層の前方に固定され、且つ前記吸音層との間に０．３ｃｍ-３ｃｍの遮音隙間を有するインク吸収特性、防火特性、及び防水特性を有する織物構造壁布と、
を備え、
吸音特性を有することを特徴とする壁壁面装飾壁布構造。
【請求項２】
前記挟持溝は第一挟持板及び第二挟持板が互いに貼り合わせられることにより構成されることを特徴とする請求項１に記載の壁面装飾壁布構造。
【請求項３】
前記吸音層は吸音綿で構成されるものを含むことを特徴とする請求項１に記載の壁面装飾壁布構造。
【請求項４】
前記左右の固定用フレームの上端及び下端には上部フレーム及び下部フレームが更に設置され、矩形フレーム体が形成されることを特徴とする請求項１に記載の壁面装飾壁布構造。
【請求項５】
高密度のメッシュ及び抗張力を有し、ポリエステル繊維（PET）の横糸及び縦糸が編まれることで形成されるメッシュ状織物であり、且つ正面及び裏面を有する繊維基布層と、
ポリアクリル酸樹脂が防火剤及び防水剤に混合されて形成されるスラリーから成り、前記繊維基布層に定量で積層するように塗布され、前記メッシュ状織物に染み込むと共に前記繊維基布層の正面及び裏面を被覆することで、前記繊維基布層の正面に形成される第一表面、及び前記繊維基布層の裏面に形成される第二表面を有し、前記繊維基布層と緊密に結合される防火性能及び防水性能を有する接着層と、
アクリル樹脂で主に構成され、前記防火性能及び防水性能を有する接着層の前記第一表面に塗布されている吸水性塗料のインク吸収コーティング層と、
を備え、
前記インク吸収コーティング層に、広告インクにより所定の広告内容または装飾パターンのスプレーインクが行われることを特徴とする請求項１に記載の壁面装飾壁布構造。
【考案の詳細な説明】
【技術分野】
【０００１】
本考案は、壁面装飾壁布構造に関する。
【背景技術】
【０００２】
日常生活において、壁にはペンキ以外のよくある装飾として壁紙や壁布がある。その施工方式では、専門家が壁面や壁布表面に接着剤を塗って半乾きになるのを待ってからロール状の壁紙や壁布を所定の壁面の位置に貼る。
【考案の概要】
【考案が解決しようとする課題】
【０００３】
しかしながら、前述した従来の技術では、すなわち、このような施工方式には専門技術が必要である。壁紙に展延性がなく、専門家が貼る際、紙と壁との間に気泡が入り込むのを防がなければならない。このため、施工に時間と労力がかかり、費用もかさむ。
【０００４】
さらに、この粘着方式では、壁紙や壁布が、接着剤により壁面に永久的に貼り付けられて損壊してしまう。後に交換する場合、堅固に接着されている壁紙や壁布を剥がすのに時間と労力がかかる上、壁面が傷付き、修復のため再度傷を埋めなければならない。
【０００５】
また、従来の壁紙や壁布は防火性及び防水性がなく、洗浄できず、吸音及び遮音作用も不足しているため、長期間使用するとカビが繁殖しやすい。
壁紙や壁布のこれらの問題を改善するには壁面に発泡断熱板を設置する必要があるが、工程が更に複雑になって費用も高騰する。
また、建築物に火災が発生すると、壁面に粘着される壁紙や壁布が可燃性であるため、火災が延焼して取り返しのつかない重大な被害をもたらす。
【０００６】
よって、上述の従来の壁紙や壁布は実用性が不足しており、なお改善の余地がある。
【０００７】
なお、広告布としてよく用いられるＰＶＣ壁布については、防水性があり、洗浄可能であるが、容易に取り外せず、有毒であり、埋め立てた場合水や土壌を汚染し、生分解されない等の問題が存在する。
ゆえに、従来のＰＶＣ壁布についても、上述の問題点のために室内広告や装飾等の用途に適用できず、なお改善の余地がある。
【０００８】
そこで、本考案者は上記の欠点が改善可能と考え、鋭意検討を重ねた結果、合理的設計で上記の課題を効果的に改善する本考案を提案するに到った。
【０００９】
本考案はこうした状況に鑑みてなされたものであり、その目的は、吸音特性を有する壁面装飾壁布構造を提供することにある。換言すれば、壁面装飾または広告看板として、吸音機能を有するほか、防火性、防水性、及びインク吸収性を更に有し、洗浄可能であり、容易に取り外すことができ、アレルギー性もなく、無毒である等の数々の特性を備える。
また、好みの図柄をスプレーインクで描くことができるほか、顧客の要望に応じて幅を決定でき、幅は最大で５ｍに達する。迅速に交換可能であり、可燃あるいは埋立可能であり、塗料が生分解される等の効果が達成される。
【課題を解決するための手段】
【００１０】
上記課題を解決するために、本考案の壁面装飾壁布構造は、
少なくとも左右の固定用フレーム（frame）で構成され、左右の固定用フレームは所定の距離幅で対向し合って対称に壁面に固定され、左右のフレームは壁面に貼着させるための位置決め面及び位置決め面の外側に成形される挟持溝を有し、且つ挟持溝の前端面及び位置決め面により収容空間の距離が形成される枠組みと、
壁面に貼設され、且つ厚さが収容空間の距離より短い吸音層と、
両側の幅が左右の固定用フレームの距離幅より大きく、且つ両側は挟持溝内に挟入されて挟まれることにより定位され、引張平面が形成されて吸音層の前方に固定され、且つ吸音層との間に０．３ｃｍ-３ｃｍの遮音空間を有するインク吸収特性、防火特性、及び防水特性を有する織物構造壁布とを備え、吸音特性を有する。
【００１１】
本考案は枠組み、吸音層、及び織物構造壁布が巧妙に組み合わせられ、且つ織物構造壁布と吸音層との間には遮音空間が確保され、従来の壁紙や壁布の接着方式が不要である。このため、迅速に組み合わせて壁面装飾または広告看板とすることができ、吸音特性を有するのみならず、防火性、防水性、及びインク吸収性を更に有し、洗浄可能であり、容易に取り外すことができ、アレルギー性もなく、無毒である等の数々の特性を備える。また、好みの図柄をスプレーインクで描くことができ、顧客の要望に応じて幅を決定でき、幅は最大で５ｍに達する。迅速に交換可能であり、可燃あるいは埋立可能であり、塗料が生分解される等の効果が達成される。
【図面の簡単な説明】
【００１２】
【図１】本考案の一実施形態に係る壁面装飾壁布構造の組立を示す斜視図である。
【図２】本考案の一実施形態に係る壁面装飾壁布構造が組み立てられ、吸音層が壁面に固定された状態を示す斜視図である。
【図３】本考案の一実施形態に係る壁面装飾壁布構造が組み立てられ、織物構造壁布の２側が挟持溝に嵌め込まれた状態を示す斜視図である。
【図４】本考案の一実施形態に係る壁面装飾壁布構造の組立状態を示す斜視図である。
【図５】本考案の一実施形態に係る壁面装飾壁布構造を示す断面図である。
【図６】本考案の一実施形態に係る壁面装飾壁布構造の枠組みを示す模式図である。
【図７】本考案の一実施形態に係る織物構造壁布の構成を示す斜視図である。
【図８】本考案の一実施形態に係る織物構造壁布を示す断面図である。
【図９】本考案の一実施形態に係る織物構造壁布にスプレーインク塗布が行った状態での使用状況を示す参考図である。
【図１０】本考案の広告としての使用状況を示す参考図である。
【図１１】本考案の内装としての使用状況を示す参考図である。
【考案を実施するための形態】
【００１３】
以下に図面を参照して、本考案の一実施形態について、詳細に説明する。なお、本考案は、以下に説明する実施形態に限定されるものではない。
【００１４】
（一実施形態）
図１乃至図７に示されるように、本考案の吸音特性を有する壁面装飾壁布構造８０は、以下の部材を備える。
【００１５】
枠組み１０は少なくとも左右の固定用フレームで構成され、左右の固定用フレーム１０Ｌ、１０Ｒの両者は所定の距離幅Ｗ１で対向し合って対称に壁面２１に固定される（図１参照）。
左右のフレーム１０Ｌ、１０Ｒは壁面２１に貼着させるための位置決め面１１、及び位置決め面１１の外側に成形される挟持溝１２を有し、且つ挟持溝１２の前端面及び位置決め面１１により収容空間の距離ｄが形成される（図５参照）。
本実施形態では、挟持溝１２は第一挟持板１２１及び第二挟持板１２２が互いに貼り合わせられることにより構成されるが、但しこれに限られない。すなわち、挟持溝１２の構造は、需要に応じて最も好ましい挟持構造として設計され、壁布の手軽な着脱を実現させ、且つ挟持効果も安定する。
【００１６】
吸音層２０は壁面２１に貼設され、且つ吸音層２０の厚さｔは収容空間の距離ｄより短い。本実施形態では、吸音層は吸音綿で構成される。
【００１７】
インク吸収特性、防火特性、及び防水特性を有する織物構造壁布６０の両側の幅Ｗ２は左右２つの固定用フレームの距離幅Ｗ１より大きく、且つ織物構造壁布６０の両側は板状工具（図示省略）により挟持溝１２内に挟入されて挟まれることにより定位される。
織物構造壁布６０に引張平面が形成されて吸音層２０の前方に固定され、且つ織物構造壁布６０と吸音層２０との間に０．３ｃｍ-３ｃｍの遮音空間ｓを有する。
本実施形態では、遮音空間ｓの大きさは装飾面積に基づいて調整されるが、但し、実質的な吸音効果を達成させるために遮音空間ｓは０.３ｃｍ以上となり、且つ３ｃｍ以内となる。
好ましくは、遮音空間ｓは０．５ｃｍから１．５ｃｍの範囲となり、これにより吸音層２０が最も好ましい吸音効果を有する。
【００１８】
図６に示されるように、本実施形態では、左右の固定用フレーム１０Ｌ、１０Ｒの上端及び下端には上部フレーム１０Ｔ及び下部フレーム１０Ｂが更に設置され、矩形フレーム体が形成されるが、但しこれに限られない。例えば、左右の固定用フレーム１０Ｌ、１０Ｒの上端及び下端が天井及び地面にそれぞれ近接する場合に、上部フレーム１０Ｔ及び下部フレーム１０Ｂを任意に装設してもよい。
【００１９】
なお、図７及び図８に示されるように、本実施形態では、織物構造壁布６０は、ポリエステル繊維（PET）の横糸３１及び縦糸３２が編まれることで形成されるメッシュ状織物である。
高密度のメッシュ３３及び抗張力を有し、且つ正面３４及び裏面３５を有する繊維基布層３０と、主にポリアクリル酸樹脂が防火及び防水剤に混合されて形成されるスラリーである防火性能及び防水性能を有する接着層４０であって、繊維基布層３０に定量で積層するように塗布され、防火性能及び防水性能を有する接着層４０がメッシュ３３に染み込むと共に繊維基布層３０の正面３４及び裏面３５を被覆させることで、繊維基布層の正面３４に形成される第一表面４１及び繊維基布層の裏面３５に形成される第二表面４２と、アクリル樹脂で主に構成される吸水性塗料であるインク吸収コーティング層５０を有する。
また、防火性能及び防水性能を有する接着層４０と繊維基布層３０とが緊密に結合され、インク吸収コーティング層５０が防火性能及び防水性能を有する接着層４０の第一表面上４１に塗布される。なお、実施形態はこれに限定されない。
これにより、図７及び図８に示されるように、インク吸収コーティング層５０には広告インク７０によるスプレーインクが行われる。
本実施形態では、防火性能及び防水性能を有する接着層４０の第二表面４２には遮光層７１が塗布されるが、但しこれに限られない。
【００２０】
本考案に係る織物構造壁布６０の構造に使用されるＰＥＴ繊維基布層３０は高密度のメッシュ３３及び抗張力を有し、防火性能及び防水性能を有する接着層４０のポリアクリル酸樹脂系は無毒、無味無臭の乳白色の高結晶ポリマーであり、現在全てのプラスチックの中で最軽量であり、密度もわずか０．９０〜０．９１ｇ／ｃｍ3であり、ＰＶＣの密度の６０％前後にすぎない。
常用されるプラスチックの中で、ポリアクリル酸樹脂系が最も耐熱性に優れ、その熱変形温度は８０〜１００℃である。また、良好な耐応力亀裂性を有し、高い耐屈曲疲労性も備える。
なお、インク吸収コーティング層５０はアクリルで主に構成され、ポリアクリル酸樹脂系と適切な配合比で配合されるとインク吸収特性を有する。これにより、本考案に係る織物構造壁布６０は繊維基布層３０に防火性、防水性、及びインク吸収コーティング層を有する複合構造が同時に形成される。
また、従来の市場に出回るＰＶＣ壁布（広告布）と比較すると、重量が３５％近く減少する。このため、軽量で柔軟性が高く、着脱が手軽で簡単であり、容易に取り外せるという特性を有する。
【００２１】
本考案に係る織物構造壁布６０の構造は、ＥＵが公告する実験室授権機構『SGS』通達標準技術服務（上海）有限公司による検査を経て、ＥＵの耐火標準ＥＮ１３５０１-１-Ｂ-ｓ１-ｄ０標準において防火等級『B』を達成した。
これは織物構造壁布６０が耐火の安全性が高いＥＵの標準に符合することを意味し、よって難燃性及び耐火性に疑いの余地はない。
また、織物構造壁布６０は洗浄可能であるという特性を有し、且つ従来のＰＶＣ壁布（広告布）のような水で縮むという欠点もない。非ＰＶＣ及び無毒であるという特性を有し、よって、特に室内広告、室内装飾に適用可能であり、且つ医療用基準に符合する効果が達成される。
【００２２】
本考案に係る織物構造壁布６０の構造は室内広告、室内装飾に適用されるのみならず、ヨーロッパのＴＵＶによる『アレルギー性』及び『皮膚への刺激』についての認証を受けており、その試験レポートを後述する。
１．アレルギー試験：ＩＳＯ１０９９３-１０：２０１０の方法を参照すると、試験サンプル浸出液の皮膚アレルギー試験結果は要求に符合し、本レポートの結果は２０１７年１２月２８日付けで提出した７０．４０５．１７．３４４６０．０２から引用したものである。
２．皮膚刺激試験：ＩＳＯ１０９９３-１０：２０１０の方法を参照すると、試験サンプル浸出液の皮膚刺激試験結果は要求に符合し、本レポートの結果は２０１７年１２月２８日付けで提出したレポート７０．４０５．１７．３４４６０．０２から引用したものである。よって、上述の試験レポートは、本考案に係る織物構造壁布６０の構造が医療用の使用要求に符合することを証明し、これは従来のＰＶＣ広告布では達成不可能な効果である。
【００２３】
図９及び図１０は本考案の織物構造壁布６０に広告インク７０のスプレーインクが行われる使用状況の参照図である。
インク吸収コーティング層５０は広告インク７０のスプレーインクが行われた後にインク吸収機能を有し、別途クリヤーラッカー層や保護層を塗装する必要がない。また、スプレーインク後の視覚効果及び質感は現在市場に出回っている従来の広告布よりも優れている。
なお、織物構造壁布６０の幅Ｗは顧客の要望に応じて選択し、且つ幅Ｗは最大で５.０ｍに達する。好みの図柄をスプレーインクで描くことができるため、本考案の環境に優しい壁布６０はより高い適用性及び選択性を有する。
図１１は本考案が室内装飾として使用される状況の参照図である。施工が高速で便利であり、且つスプレーインクで自由に図柄を描くことができ、室内に美観及び全体的な統一感を与える。
【００２４】
このように、従来のＰＶＣ壁布（広告布）、壁紙、及び従来の壁布と比較すると、本考案は、枠組み１０、吸音層２０、及び織物構造壁布６０の組み合わせ形態は従来の壁紙や壁布のような接着方式ではないため、高速に組み合わせて壁面装飾または広告看板とすることができる。
また、本考案は好みの図柄をスプレーインクで描くことができ、且つ顧客の要望に応じて幅を決定でき、幅は最大で５ｍに達し、高速に交換可能であり、可燃あるいは埋立可能であり、塗料は生分解される等の効果が達成される。
上記の内容から分かるように、本考案は傑出しており、突出した実用性を有する、即ち、本考案は従来の技術と比較してより好ましい技術的効果を有し、技術思想が異なる技術方法を提供する。また、その技術的効果は基本的に従来の技術水準に達している。
【００２５】
以上、本考案の実施形態について図面を参照して詳述したが、具体的な構成はこの実施形態に限られるものではなく、本考案の要旨を逸脱しない範囲の設計変更等も含まれる。
【符号の説明】
【００２６】
１０    枠組み
１０Ｌ  左フレーム
１０Ｒ  右フレーム
１０Ｔ  上部フレーム
１０Ｂ  下部フレーム
１１    位置決め面
１２    挟持溝
１２１  第一挟持板
１２２  第二挟持板
２０    吸音層
２１    壁面
３０    繊維基布層
３１    横糸
３２    縦糸
３３    メッシュ
３４    正面
３５    裏面
４０    防火性能及び防水性能を有する接着層
４０ａ  スラリー
４１    第一表面
４２    第二表面
５０    インク吸収コーティング層
６０    織物構造壁布
７０    広告インク
７１    遮光層
８０    壁面装飾壁布構造
【図１】
0003217066.tif 000003
【図２】
0003217066.tif 000004
【図３】
0003217066.tif 000005
【図４】
0003217066.tif 000006
【図５】
0003217066.tif 000007
【図６】
0003217066.tif 000008
【図７】
0003217066.tif 000009
【図８】
0003217066.tif 000010
【図９】
0003217066.tif 000011
【図１０】
0003217066.tif 000012
【図１１】
0003217066.tif 000013